(57)【要約】  【課題】電子機器のディスプレイの画面上の汚れを、ユーザが見つけ易くする。  【解決手段】電子機器は、ＬＣＤ３０と、タッチパネル４０と、タッチパネル４０の操作や各種ハードスイッチの操作を検知する入力検知部１１０と、ＬＣＤ３０への表示を制御する表示制御部１２０とを有する。表示制御部１２０は、入力検知部１１０を介して、画面の清掃モードを開始する指示を受け付けると、色が異なる複数の画像を順次切り替えてＬＣＤ３０に表示させる。画像の色は、ユーザにとって汚れが見え易い、白、黒である。【選択図】図２
2010032679.tif 000002
【特許請求の範囲】
【請求項１】
ディスプレイおよびタッチパネルを有する電子機器であって、
前記ディスプレイへの表示を制御する表示制御手段と、
通常モードと、前記ディスプレイの画面の清掃を行わせるための清掃モードと、を有し、
前記表示制御手段は、
前記清掃モードが設定されている場合、異なる複数の画像を順次切り替えて、前記ディスプレイに表示させること、
を特徴とする電子機器。
【請求項２】
請求項１に記載の電子機器であって、
前記画像は、黒または白の画像であること、
を特徴とする電子機器。
【請求項３】
請求項１に記載の電子機器であって、
前記画像には、グラデーション画像が含まれること、
を特徴とする電子機器。
【請求項４】
請求項１〜３いずれか一項に記載の電子機器であって、
ユーザの操作を検知する検知手段を、有し、
前記表示制御手段は、
検知された操作が前記画像の切り替えを停止する操作である場合、前記画像の切り替えを停止すること、
を特徴とする電子機器。
【請求項５】
請求項４に記載の電子機器であって、
前記表示制御手段は、
検知された操作が前記画像の切り替えを再開する操作である場合、前記画像の切り替えを再開すること、
を特徴とする電子機器。
【請求項６】
ディスプレイおよびタッチパネルを有する電子機器であって、
前記ディスプレイへの表示を制御する表示制御手段と、
通常モードと、前記ディスプレイの画面の清掃を行わせるための清掃モードと、を有し、
前記表示制御手段は、
前記清掃モードが設定されている場合、前記画面上の汚れが見え易い色の画像として、黒または白の画像を、前記ディスプレイに表示させること、
を特徴とする電子機器。
【請求項７】
請求１〜６いずれか一項に記載の電子機器は、
プリンタ、スキャナ、コピー機、ファクシミリ、または、複合機であること、
を特徴とする電子機器。
【発明の詳細な説明】
【技術分野】
【０００１】
本発明は、例えば、プリンタ、スキャナ、コピー機、ファクシミリ、複合機など、ディスプレイを有する電子機器に関し、特に、ディスプレイの清掃に関する。
【背景技術】
【０００２】
近年、液晶表示装置（ＬＣＤ）などのディスプレイを備える電子機器では、タッチパネルが使用されている。タッチパネルは、例えば、ディスプレイの画面上に重ねて設けられている。タッチパネルは、例えば、圧力の変化を感知する感圧式、または、静電気による電気信号を感知する静電式の入力検出素子などにより構成される。
【０００３】
一方、画面上のタッチパネルが設けられた領域に付着した汚れ（例えば、指紋、埃など）の清掃中に、電子機器の誤動作が起きないようにするため、清掃を開始するための操作が行われた場合に、タッチパネルが操作に反応しないように清掃用の画像を画面に表示させる技術がある（例えば、特許文献１）。
【０００４】
【特許文献１】特開平８−２２３７５号公報
【発明の開示】
【発明が解決しようとする課題】
【０００５】
ところで、画面上の汚れの色には、例えば、白、黒など、各種の色がある。また、画面上には、様々な色の汚れが混在する場合がある。
【０００６】
そのため、画面の清掃の際に、予め定められた清掃用の画像が画面に表示されても、当該画像の色と近似する色の汚れをユーザが見つけることは難しい。また、このようなユーザにとって見えにくい汚れを見つけるのは、ユーザにとって負担である。その結果、このような汚れが清掃されずに画面上に残る場合もある。
【０００７】
そこで、本発明は、画面上の汚れをユーザが見つけ易くする技術を提供することを目的とする。
【課題を解決するための手段】
【０００８】
上記の課題を解決するための装置に係る発明は、ディスプレイおよびタッチパネルを有する電子機器であって、前記ディスプレイへの表示を制御する表示制御手段と、通常モードと、前記ディスプレイの画面の清掃を行わせるための清掃モードと、を有し、前記表示制御手段は、前記清掃モードが設定されている場合、異なる複数の画像を順次切り替えて、前記ディスプレイに表示させること、を特徴とする。
【０００９】
また、上記の電子機器であって、前記画像は、黒または白の画像であること、を特徴としていてもよい。
【００１０】
また、上記の電子機器であって、前記画像には、グラデーション画像が含まれること、を特徴としていてもよい。
【００１１】
また、上記の電子機器であって、ユーザの操作を検知する検知手段を、有し、前記表示制御手段は、検知された操作が前記画像の切り替えを停止する操作である場合、前記画像の切り替えを停止すること、を特徴としていてもよい。
【００１２】
また、上記の電子機器であって、前記表示制御手段は、検知された操作が前記画像の切り替えを再開する操作である場合、前記画像の切り替えを再開すること、を特徴としていてもよい。
【００１３】
また、上記の課題を解決するための装置に係る発明は、ディスプレイおよびタッチパネルを有する電子機器であって、前記ディスプレイへの表示を制御する表示制御手段と、通常モードと、前記ディスプレイの画面の清掃を行わせるための清掃モードと、を有し、前記表示制御手段は、前記清掃モードが設定されている場合、前記画面上の汚れが見え易い色の画像として、黒または白の画像を、前記ディスプレイに表示させること、を特徴とする。
【発明の効果】
【００１４】
本発明によれば、ユーザは画面上の汚れをより見つけ易くなる。
【発明を実施するための最良の形態】
【００１５】
以下、本発明の第１の実施形態について、図面を参照して説明する。
【００１６】
本実施形態では、ディスプレイを有する電子機器として、プリンタを例に挙げて説明する。もちろん、電子機器は、プリンタに限られず、スキャナ、コピー機、ファクシミリ、複合機などであってもよい。
【００１７】
図１は、第１の実施形態に係るプリンタ１のハードウェア構成例を示す図である。
【００１８】
本図に示すように、プリンタ１は、制御部１０、印刷機構部２０、ＬＣＤ３０、タッチパネル４０を備える。
【００１９】
制御部１０は、受信した印刷データに応じた内容の印刷を印刷機構部２０に実行させる処理、ＬＣＤ３０における表示処理、タッチパネル４０におけるユーザの操作を検知する処理などを行うユニットである。
【００２０】
制御部１０は、ＣＰＵ１１、ＲＡＭ１２、ＲＯＭ１３、通信インタフェース部１４、インタフェース部１５などを有する。
【００２１】
ＲＯＭ１３は、各種のプログラム、データ等が記憶された不揮発性メモリである。ＲＡＭ１２は、ＲＯＭ１３に記憶されているプログラム、データ等がロードされるメモリである。
【００２２】
ＣＰＵ１１は、ＲＡＭ１２にロードされたプログラムにしたがって、他のハードウェアを制御し、各種の処理を実行する演算回路である。
【００２３】
通信インタフェース部１４は、ホストコンピュータ（図示しない）などと通信を行うための回路からなるユニットである。通信インタフェース部１４は、ＣＰＵ１１の制御の下で、例えば、ホストコンピュータなどから受信した印刷データをＲＡＭ１２に転送する処理などを行う。
【００２４】
インタフェース部１５は、ＣＰＵ１１と印刷機構部２０との間、ＣＰＵ１１とＬＣＤ３０との間、ＣＰＵ１１とタッチパネル４０との間で、各種のデータを送受信するための回路からなるユニットである。
【００２５】
インタフェース部１５は、ＣＰＵ１１の制御の下で、例えば、ＲＡＭ１２に記憶された印刷用イメージデータを印刷機構部２０に送信する処理、ＲＡＭ１２に記憶された表示用のデータをＬＣＤ３０に送信する処理、タッチパネル４０から受信したデータをＲＡＭ１２に転送する処理などを行う。
【００２６】
印刷機構部２０は、制御部１０の制御の下で、用紙に印刷を行うユニットである。印刷機構部２０は、制御部１１から供給される信号に基づいて用紙上に印刷を行う印刷エンジン、印刷エンジンに用紙を供給するための給紙装置、印刷が行われた用紙を排出するための排出装置などから構成される。印刷エンジンには、例えば、レーザ方式、インクジェット方式などを用いることができる。
【００２７】
ＬＣＤ３０は、ユーザとプリンタ１との間の出力インタフェースとして、プリンタ１の筐体に設けられているユニットである。ＬＣＤ３０は、制御部１０の制御の下で、例えば、操作メニュー、清掃用の画像などを表示する。ＬＣＤ３０の替わりに有機ＥＬ（Electro-Luminescence）ディスプレイを用いてもよい。
【００２８】
タッチパネル４０は、ＬＣＤ３０の画面の表示面に貼られた透過性のある操作パネルである。タッチパネル４０は、ＬＣＤ３０に表示された画像のＸＹ座標と対応したタッチ位置を特定し、タッチ位置を座標に変換して制御部１０に出力する。タッチパネル４０は、感圧式または静電式の入力検出素子などにより構成される。
【００２９】
もちろん、プリンタ１および各種ハードウェアの構成は上記に限られない。プリンタ１は、例えば、ボタンキーなどの各種ハードスイッチを備えていてもよい。また、ＬＣＤ３０は、光センサ内蔵型であってもよい。
【００３０】
図２は、プリンタ１の検知処理および表示処理に関する機能構成を示すブロック図である。
【００３１】
本図に示すように、プリンタ１は、入力検知部１１０、表示制御部１２０、表示情報記憶部１３０を有する。これらの機能部は、ＣＰＵ１１がＲＯＭ１３からＲＡＭ１２にロードしたプログラムを実行することにより、制御部１０に構築される。
【００３２】
入力検知部１１０は、タッチパネル４０や、ボタンキーなどの各種ハードスイッチを介して入力されたユーザの操作を受け付け、その操作内容を解析して、その操作内容を他の機能部に出力する。
【００３３】
表示制御部１２０は、操作メニュー、清掃用の画像などを、ＬＣＤ３０の画面に表示させる処理を行う。表示制御部１２０は、入力検知部１１０から出力されたユーザの操作内容に応じて、表示すべき操作メニューや画像などを表示情報記憶部１３０から取得し、ＬＣＤ３０に表示させる。
【００３４】
表示制御部１２０は、例えば、入力検知部１１０を介して清掃を行うためのユーザの操作を受け付けると、表示情報記憶部１３０に予め記憶された複数の清掃用の画像を、所定の順序で順次切り替えて表示する処理を行う。また、ユーザの操作に従って、清掃用の画像の切り替えを停止したり、再度開始したりする処理を行う。
【００３５】
表示情報記憶部１３０は、操作メニュー、清掃用の画面など表示するための各種の画像データを格納する。
【００３６】
清掃用の画像データは、例えば、ＬＣＤ３０の画面全体を、単一色で表示するためのデータである。画像データは、例えば、白、黒、赤、緑、青など、各種の色ごとに用意されている。すなわち、画面上の各種の色の汚れがユーザに見え易くなるように、各種の色の画像データが複数用意されている。なお、ＬＣＤ３０がモノクロ表示の場合、白、黒などの画像データが用いられる。また、ＬＣＤ３０がカラー表示の場合、白、黒、赤、緑、青などの画像データが用いられる。
【００３７】
もちろん、画像データは、単一色に限られず、例えば、色が徐々に変化するグラデーションが施された画像データであってもよい。様々なグラデーションが施された画像データが複数用意されていてもよい。また、画像データは、汚れを目立たせる模様などの画像データであってもよい。
【００３８】
図３は、清掃モードにおけるプリンタ１の処理を示すフロー図である。本フローは、プリンタ１の起動後、所定の周期で繰り返し実行される。
【００３９】
本フローが開始されると、表示制御部１２０は、プリンタ１の動作モードが清掃モードに設定されているか否かを判定する（Ｓ１００）。
【００４０】
ここで、清掃モードとは、画面上の汚れをユーザが清掃するためのモードである。清掃モードは、例えば、ＬＣＤ３０の画面に表示された操作メニューの操作により設定される。なお、清掃モード以外のモードとして、通常モードがある。
【００４１】
清掃モードが設定されている場合（Ｓ１００で「ＹＥＳ」）、表示制御部１２０は、処理をＳ１１０に進める。一方、清掃モードが設定されていない、すなわち、通常モードの場合（Ｓ１００で「ＮＯ」）、本フローを終了する。
【００４２】
清掃モードが設定されている場合（Ｓ１００で「ＹＥＳ」）、Ｓ１１０〜１３０の処理が所定の周期（例えば、１秒毎）で繰り返される。
【００４３】
なお、清掃モードが設定されている間、入力検知部１１０は、画面上のユーザのタッチ操作を検出しないようにする。
【００４４】
まず、表示制御部１２０は、表示画像を変更する（Ｓ１１０）。具体的には、表示制御部１２０は、所定の順序に従って、現在表示されている画像データの次に表示すべき清掃用の画像データを表示情報記憶部１３０から取得する。そして、ＬＣＤ３０の画面に表示させる。
【００４５】
所定の順序は、例えば、白、黒、赤、緑、青などの順序である。もちろん、グラデーション画像が含まれていてもよい。また、所定の順序はランダムな順序であってもよい。
【００４６】
また、表示される清掃用の画像データの種類、数、順序などをユーザが設定できるようにしてもよい。また、表示画像を変更する周期を、ユーザが設定できるようにしてもよい。また、色ごとに表示画像を変更する周期を設定できるようにしてもよい（例えば、白の場合３秒、黒の場合３秒、赤の場合１秒など）。
【００４７】
表示画像が変更されると（Ｓ１１０）、表示制御部１２０は、ストップ操作が行われたか否かを判定する（Ｓ１２０）。ここで、ストップ操作とは、表示画像の変更を停止するための操作である。
【００４８】
具体的には、表示制御部１２０は、入力検知部１１０を介して、例えば、ストップ操作を行うための機能が割り当てられたボタンなどのハードスイッチの操作が行われたか否かを判定する。もちろん、ＬＣＤ３０に表示したストップボタンの操作を検知し、判定を行ってもよい。
【００４９】
ストップ操作が行われたと判定した場合（Ｓ１２０で「ＹＥＳ」）、表示制御部１２０は、処理をＳ１４０に進める。一方、ストップ操作が行われていないと判定した場合（Ｓ１２０で「ＮＯ」）、処理をＳ１３０に進める。
【００５０】
ストップ操作が行われていないと判定した場合（Ｓ１２０で「ＮＯ」）、表示制御部１２０は、清掃モードが終了したか否かを判定する（Ｓ１３０）。
【００５１】
具体的には、表示制御部１２０は、入力検知部１１０を介して、例えば、清掃モードを終了するための機能が割り当てられたボタンなどのハードスイッチの操作が行われたか否か否かを判定する。または、清掃モードの開始から所定時間（例えば、１分）が経過したか否かを判定する。
【００５２】
清掃モードが終了したと判定した場合（Ｓ１３０で「ＹＥＳ」）、表示制御部１２０は、本フローを終了する。一方、清掃モードが終了していないと判定した場合（Ｓ１３０で「ＮＯ」）、表示制御部１２０は、所定時間（例えば、１秒）が経過するのを待った後、処理をＳ１１０に戻す。
【００５３】
一方、ストップ操作が行われたと判定した場合（Ｓ１２０で「ＹＥＳ」）、表示制御部１２０は、表示画像の変更を停止する（Ｓ１４０）。具体的には、表示制御部１２０は、Ｓ１１０においてＬＣＤ３０の画面に表示させた清掃用の画像データを、継続して表示させる。
【００５４】
表示画像の変更が停止されると（Ｓ１４０）、Ｓ１５０および１６０の処理が所定の周期（例えば、１秒毎）で繰り返される。
【００５５】
まず、表示制御部１２０は、スタート操作が行われたか否かを判定する（Ｓ１５０）。ここで、スタート操作とは、表示画像の変更を再開するための操作である。
【００５６】
具体的には、表示制御部１２０は、入力検知部１１０を介して、例えば、スタート操作を行うための機能が割り当てられたボタンなどのハードスイッチの操作が行われたか否かを判定する。もちろん、ＬＣＤ３０に表示したスタートボタンの操作を検知し、判定を行ってもよい。
【００５７】
スタート操作が行われたと判定した場合（Ｓ１５０で「ＹＥＳ」）、表示制御部１２０は、処理をＳ１１０に進める。スタート操作が行われていないと判定した場合（Ｓ１５０で「ＮＯ」）、処理をＳ１６０に進める。
【００５８】
スタート操作が行われていないと判定した場合（Ｓ１５０で「ＮＯ」）、表示制御部１２０は、清掃モードが終了したか否かを判定する（Ｓ１６０）。Ｓ１６０の処理の内容は、Ｓ１３０と同様である。
【００５９】
清掃モードが終了したと判定した場合（Ｓ１６０で「ＹＥＳ」）、表示制御部１２０は、本フローを終了する。一方、清掃モードが終了していないと判定した場合（Ｓ１６０で「ＮＯ」）、表示制御部１２０は、所定時間（例えば、１秒）が経過するのを待った後、処理をＳ１５０に戻す。
【００６０】
以上のようにして、清掃モードにおいて、複数の清掃用の画像が切り替えられて画面に表示される。また、所定の操作により、清掃用の画像の切り替えが停止されたり、再開されたりする。
【００６１】
以上、本発明の第１の実施形態について説明した。本実施形態によれば、ユーザは画面上の汚れをより見つけ易くなる。
【００６２】
すなわち、清掃モードにおいて、各種の色の清掃用の画像が繰り返し切り替えられて画面に表示される。また、ユーザの所定の操作により、清掃用の画像が選択される。
【００６３】
このような構成により、ユーザは、画面上の汚れが見え易いと感じた清掃用の画像を表示させることができる。そして、画面上の汚れが見え易い状態で清掃を行うことができる。また、清掃用の画像を適宜変更することにより、各種の色の汚れが見え易い状態で清掃を行うことができる。
【００６４】
また、グラデーションが施された画像を表示させれば、画面上の汚れによる色むら見えるようになるため、単一色の画像では見つけにくい汚れが見え易くなる。
【００６５】
以上、本発明について、例示的な実施形態と関連させて記載した。多くの代替物、修正および変形例が当業者にとって明らかであることは明白である。したがって、上に記載の本発明の実施形態は、本発明の要旨と範囲を例示することを意図し、限定するものではない。
【００６６】
例えば、タッチパネル４０上の操作が多い領域を特定し、当該領域に対応する領域に各種の色の画像を切り替えて表示するようにしてもよい。
【００６７】
具体的には、入力検知部１１０は、タッチパネル４０から出力される座標情報を用いて、画面上の各座標位置におけるタッチ操作回数を記録する。そして、タッチ操作回数が所定回数を超える位置もしくはその位置を含む領域を特定する。すなわち、汚れが多いと考えられる領域が特定される。
【００６８】
表示制御部１２０は、清掃モードにおいて、入力検知部１１０により特定された位置もしくは領域について、各種の色の画像を順次切り替えて表示する（Ｓ１１０〜Ｓ１６０）。
【００６９】
上記のような構成により、ユーザは、汚れが多いと考えられる画面上の領域を知ることができるとともに、その領域について、汚れが見え易いと感じた清掃用の画像を表示させることができる。
【図面の簡単な説明】
【００７０】
【図１】プリンタ１のハードウェア構成例を示すブロック図。
【図２】プリンタ１の検知処理および表示処理に関する機能構成を示すブロック図。
【図３】清掃モードにおけるプリンタ１の処理を示すフロー図。
【符号の説明】
【００７１】
１：プリンタ、１０：制御部、１１：ＣＰＵ、１２：ＲＡＭ、１３：ＲＯＭ、１４：通信インタフェース部、１５：インタフェース部、２０：印刷機構部、３０：ＬＣＤ、４０：タッチパネル
１１０：入力検知部、１２０：表示制御部、１３０：表示情報記憶部
【図１】
2010032679.tif 000003
【図２】
2010032679.tif 000004
【図３】
2010032679.tif 000005